(57)【要約】【課題】ユーザの要求に応えて経路探索を行うとともに、効果的な広告活動を行う地図情報提供システム、サーバ装置、および地図情報提供方法を提供する。【解決手段】サーバ装置２００は、ユーザ端末装置１００により指定された出発地から目的地までの経路を探索し、その経路が含まれる地図上に広告主の店舗を配置する。サーバ装置２００は、それぞれ少なくとも１以上の広告主の店舗が含まれるように、その地図を分割して道案内画面情報を作成して、ユーザ端末装置１００に送信する。広告主が経営する店舗がユーザの移動経路の出発、中継、および目的地点の目印となり、かつその店舗の広告がユーザ端末装置１００の画面上に表示される。ユーザは広告主の店舗前を通るようにして目的地へ移動する。【選択図】        図１
2004325648.tif 000002
【特許請求の範囲】
【請求項１】
サーバ装置と、ユーザにより操作されるユーザ端末装置と、広告主により操作される広告主端末装置とがネットワークを介して接続されている地図情報提供システムであって、
前記サーバ装置は、
前記ユーザ端末装置から受信した出発地および目的地を示す情報と、前記広告主端末装置から受信した前記広告主の店舗の位置情報に基づいて、前記広告主の店舗が中継地点近傍に位置するような経路を探索し、該探索した経路を前記中継地点ごとに分割して１以上の地図情報を作成し、該作成した１以上の各地図情報に、該地図上の店舗に関連した広告を挿入して前記ユーザ端末装置に送信することを特徴とする地図情報提供システム。
【請求項２】
サーバ装置と、ユーザにより操作されるユーザ端末装置と、広告主により操作される広告主端末装置とがネットワークを介して接続されている地図情報提供システムであって、
前記広告主端末装置は、
前記広告主の店舗に関連した内容の広告および前記広告主の店舗の位置情報を含む広告情報を前記サーバ装置に送信する広告情報送信手段を有し、
前記ユーザ端末装置は、
前記ユーザの取得希望する経路の出発地および目的地を示す情報を前記サーバ装置に送信する経路探索条件送信手段を有し、
前記サーバ装置は、
前記広告主端末装置から受信した広告情報を格納する広告情報格納手段と、
前記ユーザ端末装置から受信した出発地および目的地を示す情報、ならびに前記広告情報格納手段により格納された広告情報に基づいて、前記広告主の店舗が中継地点近傍に位置するような経路を探索し、少なくとも前記中継地点または前記目的地近傍の店舗が含まれるように、該探索した経路を含む地図を分割して１以上の地図情報を作成する地図情報作成手段と、
前記地図情報作成手段により作成された１以上の各地図情報に、該地図上の店舗に関連した内容の広告を挿入した道案内画面情報を作成する道案内画面情報作成手段と、
前記道案内画面情報作成手段により作成された道案内画面情報を前記ユーザ端末装置に送信する道案内画面情報送信手段とを有することを特徴とする地図情報提供システム。
【請求項３】
前記道案内画面情報作成手段は、
前記ユーザの現在位置近傍の店舗位置および前記ユーザの移動先の目標物となる店舗位置が示されている地図情報と、該地図情報上の店舗に関連した内容の広告とを含む前記道案内画面情報を作成することを特徴とする請求項２記載の地図情報提供システム。
【請求項４】
前記経路探索条件送信手段は、
前記店舗のジャンルを示す情報を前記サーバ装置に送信し、
前記地図情報作成手段は、
前記ジャンル情報送信手段により送信されたジャンルに該当する前記広告主の店舗が前記中継地点近傍に位置するように経路を探索することを特徴とする請求項２または３記載の地図情報提供システム。
【請求項５】
前記広告情報格納手段は、
前記広告主端末装置から前記広告情報を受信するごとに、前記格納した広告情報を更新することを特徴とする請求項２から４のいずれか１項に記載の地図情報提供システム。
【請求項６】
前記ユーザ端末装置は、
ＧＰＳ衛星からの電波を受信して自装置の現在位置を測定し、該現在位置を示す現在位置情報を取得する位置情報取得手段を有し、
前記経路探索条件送信手段は、
前記位置情報取得手段により取得された現在位置情報を前記サーバに送信し、
前記地図情報作成手段は、
前記経路探索条件送信手段により送信された現在位置情報により示される位置を前記作成した地図上に挿入することを特徴とする請求項２から５のいずれか１項に記載の地図情報提供システム。
【請求項７】
ユーザにより操作されるユーザ端末装置と、広告主により操作される広告主端末装置とにネットワークを介して接続されているサーバ装置であって、
前記ユーザ端末装置から受信した出発地および目的地を示す情報と、前記広告主端末装置から受信した前記広告主の店舗の位置情報に基づいて、前記広告主の店舗が中継地点近傍に位置するような経路を探索し、該探索した経路を前記中継地点ごとに分割して１以上の地図情報を作成し、該作成した１以上の各地図情報に、該地図上の店舗に関連した広告を挿入して前記ユーザ端末装置に送信することを特徴とするサーバ装置。
【請求項８】
ユーザにより操作されるユーザ端末装置と、広告主により操作される広告主端末装置とにネットワークを介して接続されているサーバ装置であって、
前記広告主端末装置から受信した広告情報を格納する広告情報格納手段と、
前記ユーザ端末装置から受信した出発地および目的地を示す情報、ならびに前記広告情報格納手段により格納された広告情報に基づいて、前記広告主の店舗が中継地点近傍に位置するような経路を探索し、少なくとも前記中継地点または前記目的地近傍の店舗が含まれるように、該探索した経路を含む地図を分割して１以上の地図情報を作成する地図情報作成手段と、
前記地図情報作成手段により作成された１以上の各地図情報に、該地図上の店舗に関連した内容の広告を挿入した道案内画面情報を作成する道案内画面情報作成手段と、
前記道案内画面情報作成手段により作成された道案内画面情報を前記ユーザ端末装置に送信する道案内画面情報送信手段とを有することを特徴とするサーバ装置。
【請求項９】
前記道案内画面情報作成手段は、
前記ユーザの現在位置近傍の店舗位置および前記ユーザの移動先の目標物となる店舗位置が示されている地図情報と、該地図情報上の店舗に関連した内容の広告とを含む前記道案内画面情報を作成することを特徴とする請求項８記載のサーバ装置。
【請求項１０】
前記地図情報作成手段は、
前記ユーザ端末装置から受信した前記店舗のジャンルを示す情報に該当する前記広告主の店舗が前記中継地点近傍に位置するように経路を探索することを特徴とする請求項８または９記載のサーバ装置。
【請求項１１】
前記広告情報格納手段は、
前記広告主端末装置から前記広告情報を受信するごとに、前記格納した広告情報を更新することを特徴とする請求項８から１０のいずれか１項に記載のサーバ装置。
【請求項１２】
前記地図情報作成手段は、
前記ユーザ端末装置の現在位置を示す現在位置情報を前記ユーザ端末装置から受信すると、該受信した現在位置情報により示される位置を前記作成した地図上に挿入することを特徴とする請求項８から１１のいずれか１項に記載のサーバ装置。
【請求項１３】
ネットワークを介して相互接続されているサーバ装置と、ユーザにより操作されるユーザ端末装置と、広告主により操作される広告主端末装置とを用いる地図情報提供方法であって、
前記サーバ装置が、前記ユーザ端末装置から送信された出発地および目的地を示す情報に基づき、前記広告主の店舗が中継地点近傍に位置するような経路を探索し、該探索した経路を前記中継地点ごとに分割して１以上の地図情報を作成し、該作成した１以上の各地図情報に、該地図上の店舗に関連した広告を挿入して前記ユーザ端末装置に送信することを特徴とする地図情報提供方法。
【請求項１４】
ネットワークを介して相互接続されているサーバ装置と、ユーザにより操作されるユーザ端末装置と、広告主により操作される広告主端末装置とを用いる地図情報提供方法であって、
前記広告主端末装置が、前記広告主の店舗に関連した内容の広告および前記広告主の店舗の位置情報を含む広告情報を前記サーバ装置に送信する広告情報送信工程と、
前記サーバ装置が、前記広告主端末装置から受信した広告情報を格納する広告情報格納工程と、
前記ユーザ端末装置が、前記ユーザの取得希望する経路の出発地および目的地を示す情報を前記サーバ装置に送信する経路探索条件送信工程と、
前記サーバ装置が、前記ユーザ端末装置から受信した出発地および目的地を示す情報、ならびに前記広告情報格納工程により格納された広告情報に基づいて、前記広告主の店舗が中継地点近傍に位置するような経路を探索し、少なくとも前記中継地点または前記目的地近傍の店舗が含まれるように、該探索した経路を含む地図を分割して１以上の地図情報を作成する地図情報作成工程と、
前記サーバ装置が、前記地図情報作成工程により作成した１以上の各地図情報に、該地図上の店舗に関連した内容の広告を挿入した道案内画面情報を作成する道案内画面情報作成工程と、
前記サーバ装置が、前記道案内画面情報作成工程により作成された道案内画面情報を前記ユーザ端末装置に送信する道案内画面情報送信工程とを有することを特徴とする地図情報提供方法。
【請求項１５】
前記道案内画面情報作成工程は、
前記サーバ装置が、前記ユーザの現在位置近傍の店舗位置および前記ユーザの移動先の目標物となる店舗位置が示されている地図情報と、該地図情報上の店舗に関連した内容の広告とを含む前記道案内画面情報を作成することを特徴とする請求項１４記載の地図情報提供方法。
【請求項１６】
前記経路探索条件送信工程は、
前記ユーザ端末装置が、前記店舗のジャンルを示す情報を前記サーバ装置に送信し、
前記地図情報作成工程は、
前記サーバ装置が、前記ジャンル情報送信工程により送信されたジャンルに該当する前記広告主の店舗が前記中継地点近傍に位置するように経路を探索することを特徴とする請求項１４または１５記載の地図情報提供方法。
【請求項１７】
前記広告情報格納工程は、
前記サーバ装置が、前記広告主端末装置から前記広告情報を受信するごとに、前記格納した広告情報を更新することを特徴とする請求項１４から１６のいずれか１項に記載の地図情報提供方法。
【請求項１８】
前記ユーザ端末装置が、ＧＰＳ衛星からの電波を受信して自装置の現在位置を測定し、該現在位置を示す現在位置情報を取得する位置情報取得工程を有し、
前記経路探索条件送信工程は、
前記ユーザ端末装置が、前記位置情報取得工程により取得した現在位置情報を前記サーバに送信し、
前記地図情報作成工程は、
前記サーバ装置が、前記経路探索条件送信工程により送信された現在位置情報により示される位置を前記作成した地図上に挿入することを特徴とする請求項１４から１７のいずれか１項に記載の地図情報提供方法。
【発明の詳細な説明】
【０００１】
【発明の属する技術分野】
本発明は、地図情報提供システム、サーバ装置、および地図情報提供方法に関し、特に、経路を探索し、その探索した経路とともに、その経路近傍の店舗およびその店舗に関連した広告に関する情報をネットワークを介して送信する地図情報提供システム、サーバ装置、および地図情報提供方法に関する。
【０００２】
【従来の技術】
従来、携帯電話機などの端末装置を用いてサーバから地図情報を取得する道案内サービスが提供されていた。この道案内サービスでは、サーバは、端末装置から現在位置および目的地の情報を受け取り、その受け取った情報に基づいて案内経路を探索して端末装置に送っていた。
【０００３】
上記のような従来技術の１つとして、特許文献１が開示するところのナビゲーションシステム、ナビゲーションサーバ装置及びナビゲーション方法があった。
特許文献１では、サーバは、端末機から出発位置および目的位置を受信すると、誘導経路を算出し、その誘導経路上の目標物のコンテンツを上記の端末機からの現在位置に応じてその端末機に順次送信していた。
【０００４】
【特許文献１】
特開２００２−３６５０８４号公報
【０００５】
【発明が解決しようとする課題】
しかしながら、特許文献１を含む従来技術において、誘導経路上の目標物に関連する広告情報を端末機へ送信するといった構成がなく、端末機への誘導経路情報送信時に広告活動を行うことが困難であった。
【０００６】
本発明は、上記問題点に鑑みてなされたものであり、ユーザの要求に応えて経路探索を行うとともに、効果的な広告活動を行う地図情報提供システム、サーバ装置、および地図情報提供方法を提供することを目的とする。
【０００７】
【課題を解決するための手段】
かかる目的を達成するために、本発明は、サーバ装置と、ユーザにより操作されるユーザ端末装置と、広告主により操作される広告主端末装置とがネットワークを介して接続されている地図情報提供システムであって、サーバ装置は、ユーザ端末装置から受信した出発地および目的地を示す情報と、広告主端末装置から受信した広告主の店舗の位置情報に基づいて、広告主の店舗が中継地点近傍に位置するような経路を探索し、探索した経路を中継地点ごとに分割して１以上の地図情報を作成し、作成した１以上の各地図情報に、地図上の店舗に関連した広告を挿入してユーザ端末装置に送信することを特徴とする。
【０００８】
また、本発明は、サーバ装置と、ユーザにより操作されるユーザ端末装置と、広告主により操作される広告主端末装置とがネットワークを介して接続されている地図情報提供システムであって、広告主端末装置は、広告主の店舗に関連した内容の広告および広告主の店舗の位置情報を含む広告情報をサーバ装置に送信する広告情報送信手段を有し、ユーザ端末装置は、ユーザの取得希望する経路の出発地および目的地を示す情報をサーバ装置に送信する経路探索条件送信手段を有し、サーバ装置は、広告主端末装置から受信した広告情報を格納する広告情報格納手段と、ユーザ端末装置から受信した出発地および目的地を示す情報、ならびに広告情報格納手段により格納された広告情報に基づいて、広告主の店舗が中継地点近傍に位置するような経路を探索し、少なくとも中継地点または目的地近傍の店舗が含まれるように、探索した経路を含む地図を分割して１以上の地図情報を作成する地図情報作成手段と、地図情報作成手段により作成された１以上の各地図情報に、地図上の店舗に関連した内容の広告を挿入した道案内画面情報を作成する道案内画面情報作成手段と、道案内画面情報作成手段により作成された道案内画面情報をユーザ端末装置に送信する道案内画面情報送信手段とを有することを特徴とする。
【０００９】
また、本発明によれば、道案内画面情報作成手段は、ユーザの現在位置近傍の店舗位置およびユーザの移動先の目標物となる店舗位置が示されている地図情報と、地図情報上の店舗に関連した内容の広告とを含む道案内画面情報を作成することを特徴とする。
【００１０】
また、本発明によれば、経路探索条件送信手段は、店舗のジャンルを示す情報をサーバ装置に送信し、地図情報作成手段は、ジャンル情報送信手段により送信されたジャンルに当する広告主の店舗が中継地点近傍に位置するように経路を探索することを特徴とする。
【００１１】
また、本発明によれば、広告情報格納手段は、広告主端末装置から広告情報を受信するごとに、格納した広告情報を更新することを特徴とする。
【００１２】
また、本発明によれば、ユーザ端末装置は、ＧＰＳ衛星からの電波を受信して自装置の現在位置を測定し、現在位置を示す現在位置情報を取得する位置情報取得手段を有し、経路探索条件送信手段は、位置情報取得手段により取得された現在位置情報をサーバに送信し、地図情報作成手段は、経路探索条件送信手段により送信された現在位置情報により示される位置を作成した地図上に挿入することを特徴とする。
【００１３】
また、本発明は、ユーザにより操作されるユーザ端末装置と、広告主により操作される広告主端末装置とにネットワークを介して接続されているサーバ装置であって、ユーザ端末装置から受信した出発地および目的地を示す情報と、広告主端末装置から受信した広告主の店舗の位置情報に基づいて、広告主の店舗が中継地点近傍に位置するような経路を探索し、探索した経路を中継地点ごとに分割して１以上の地図情報を作成し、作成した１以上の各地図情報に、地図上の店舗に関連した広告を挿入してユーザ端末装置に送信することを特徴とする。
【００１４】
また、本発明は、ユーザにより操作されるユーザ端末装置と、広告主により操作される広告主端末装置とにネットワークを介して接続されているサーバ装置であって、広告主端末装置から受信した広告情報を格納する広告情報格納手段と、ユーザ端末装置から受信した出発地および目的地を示す情報、ならびに広告情報格納手段により格納された広告情報に基づいて、広告主の店舗が中継地点近傍に位置するような経路を探索し、少なくとも中継地点または目的地近傍の店舗が含まれるように、探索した経路を含む地図を分割して１以上の地図情報を作成する地図情報作成手段と、地図情報作成手段により作成された１以上の各地図情報に、地図上の店舗に関連した内容の広告を挿入した道案内画面情報を作成する道案内画面情報作成手段と、道案内画面情報作成手段により作成された道案内画面情報をユーザ端末装置に送信する道案内画面情報送信手段とを有することを特徴とする。
【００１５】
また、本発明によれば、道案内画面情報作成手段は、ユーザの現在位置近傍の店舗位置およびユーザの移動先の目標物となる店舗位置が示されている地図情報と、地図情報上の店舗に関連した内容の広告とを含む道案内画面情報を作成することを特徴とする。
【００１６】
また、本発明によれば、地図情報作成手段は、ユーザ端末装置から受信した店舗のジャンルを示す情報に当する広告主の店舗が中継地点近傍に位置するように経路を探索することを特徴とする。
【００１７】
また、本発明によれば、広告情報格納手段は、広告主端末装置から広告情報を受信するごとに、格納した広告情報を更新することを特徴とする。
【００１８】
また、本発明によれば、地図情報作成手段は、ユーザ端末装置の現在位置を示す現在位置情報をユーザ端末装置から受信すると、受信した現在位置情報により示される位置を作成した地図上に挿入することを特徴とする。
【００１９】
また、本発明は、ネットワークを介して相互接続されているサーバ装置と、ユーザにより操作されるユーザ端末装置と、広告主により操作される広告主端末装置とを用いる地図情報提供方法であって、サーバ装置が、ユーザ端末装置から送信された出発地および目的地を示す情報に基づき、広告主の店舗が中継地点近傍に位置するような経路を探索し、探索した経路を中継地点ごとに分割して１以上の地図情報を作成し、作成した１以上の各地図情報に、地図上の店舗に関連した広告を挿入してユーザ端末装置に送信することを特徴とする。
【００２０】
また、本発明は、ネットワークを介して相互接続されているサーバ装置と、ユーザにより操作されるユーザ端末装置と、広告主により操作される広告主端末装置とを用いる地図情報提供方法であって、広告主端末装置が、広告主の店舗に関連した内容の広告および広告主の店舗の位置情報を含む広告情報をサーバ装置に送信する広告情報送信工程と、サーバ装置が、広告主端末装置から受信した広告情報を格納する広告情報格納工程と、ユーザ端末装置が、ユーザの取得希望する経路の出発地および目的地を示す情報をサーバ装置に送信する経路探索条件送信工程と、サーバ装置が、ユーザ端末装置から受信した出発地および目的地を示す情報、ならびに広告情報格納工程により格納された広告情報に基づいて、広告主の店舗が中継地点近傍に位置するような経路を探索し、少なくとも中継地点または目的地近傍の店舗が含まれるように、探索した経路を含む地図を分割して１以上の地図情報を作成する地図情報作成工程と、サーバ装置が、地図情報作成工程により作成した１以上の各地図情報に、地図上の店舗に関連した内容の広告を挿入した道案内画面情報を作成する道案内画面情報作成工程と、サーバ装置が、道案内画面情報作成工程により作成された道案内画面情報をユーザ端末装置に送信する道案内画面情報送信工程とを有することを特徴とする。
【００２１】
また、本発明によれば、道案内画面情報作成工程は、サーバ装置が、ユーザの現在位置近傍の店舗位置およびユーザの移動先の目標物となる店舗位置が示されている地図情報と、地図情報上の店舗に関連した内容の広告とを含む道案内画面情報を作成することを特徴とする。
【００２２】
また、本発明によれば、経路探索条件送信工程は、ユーザ端末装置が、店舗のジャンルを示す情報をサーバ装置に送信し、地図情報作成工程は、サーバ装置が、ジャンル情報送信工程により送信されたジャンルに当する広告主の店舗が中継地点近傍に位置するように経路を探索することを特徴とする。
【００２３】
また、本発明によれば、広告情報格納工程は、サーバ装置が、広告主端末装置から広告情報を受信するごとに、格納した広告情報を更新することを特徴とする。
【００２４】
また、本発明によれば、ユーザ端末装置が、ＧＰＳ衛星からの電波を受信して自装置の現在位置を測定し、現在位置を示す現在位置情報を取得する位置情報取得工程を有し、経路探索条件送信工程は、ユーザ端末装置が、位置情報取得工程により取得した現在位置情報をサーバに送信し、地図情報作成工程は、サーバ装置が、経路探索条件送信工程により送信された現在位置情報により示される位置を作成した地図上に挿入することを特徴とする。
【００２５】
【発明の実施の形態】
＜第１の実施形態＞
（実施形態の概略）
図１は、本発明の第１の実施形態における地図情報提供システムの構成を簡略化した図である。以下、図１を用いて、本実施形態の概略について説明する。
図１に示されるように、地図情報提供システムは、ユーザ端末装置１００、１１０、１２０と、サーバ装置２００と、広告主端末装置３００と、ネットワーク４００とを有する。また、ユーザ端末装置１００、１１０、１２０、サーバ装置２００、および広告主端末装置３００は、ネットワーク４００を介して相互接続されている。
【００２６】
サーバ装置２００は、サービス事業者により管理される情報処理装置であって、ユーザ端末装置１００、１１０、１２０から送信された出発地および目的地の情報を受信する機能と、案内経路を計算する機能と、ユーザ端末装置１００、１１０、１２０に案内図を送信する機能とを有する。
ユーザ端末装置１００、１１０、１２０は、それぞれユーザＡ、Ｂ、Ｃにより操作される情報処理装置であって、出発地および目的地の情報を入力し、サーバ装置２００に送信する機能と、サーバ装置２００から送信された案内図を自装置の画面上に表示する機能とを有する。
広告主端末装置３００は広告主により管理される装置であって、広告主に関連する広告情報をサーバ装置２００に送信する機能を有する。
【００２７】
ここで、ユーザ端末装置１００は、所定の経路の地図情報を要求する旨の情報をサーバ装置２００に送信したとする。
サーバ装置２００は、ユーザ端末装置１００から地図情報要求を受信すると、経路を算出し、その経路を含む地図情報を作成する。次に、サーバ装置２００は、作成した地図を各領域に分割して、その分割した地図情報（道案内画面情報）を出発地近傍のものから目的地近傍のものまで順番に１つずつユーザ端末装置１００に送信する。
ユーザ端末装置１００は、道案内画面情報を受信すると、その道案内画面を表示する。この道案内画面上には、それぞれ店舗などの広告主の事業に関連する建造物などが道案内の目印となるように示されている。また、各道案内画面上には、その道案内画面上の店舗に関連する広告主の広告情報が示されている。
【００２８】
ユーザ端末装置１００は、１つ目の道案内画面情報を受信し、その道案内画面を表示する。ユーザＡは、その地図上の目印（広告主の店舗）まで経路上を移動すると、ユーザ端末装置１００を用いて、次の道案内画面情報の送信をサーバ装置２００に対して要求する。
【００２９】
このようにして、ユーザＡ、Ｂ、Ｃは、目印となる広告主の店舗への移動および次の道案内画面情報の送信要求を繰り返すことにより、目的地に到達することができる。また、各道案内画面上には、目印となる広告主の店舗に関連した広告が示されているため、広告主は、効果的な宣伝活動（集客活動）を行うことができる。
【００３０】
（第１の実施形態の構成）
図２は、本発明の第１の実施形態における地図情報提供システムの構成を示す図である。以下、図２を用いて、本実施形態における地図情報提供システムの構成について説明する。
【００３１】
図２に示されるように、地図情報提供システムは、ユーザ端末装置１００、１１０、１２０と、サーバ装置２００と、広告主端末装置３００と、ネットワーク４００とを有する。また、ユーザ端末装置１００、１１０、１２０、サーバ装置２００、および広告主端末装置３００は、ネットワーク４００を介して相互接続されている。なお、ネットワーク４００に接続されるユーザ端末装置および広告主端末装置の数は図により限定されず、１以上のいずれかの数であってよい。
【００３２】
ユーザ端末装置１００は、ユーザにより操作される情報処理装置であって、例えば、携帯電話機、ＰＨＳ（Ｐｅｒｓｏｎａｌ  Ｈａｎｄｙ−ｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｔ）、またはノートブック型などの携帯可能なＰＣ（Ｐｅｒｓｏｎａｌ  Ｃｏｍｐｕｔｅｒ）などの移動携帯端末装置であってよい。
なお、ユーザ端末装置１１０、１２０の構成および動作は、ユーザ端末装置１００と同様であるとして以下の説明を省略する。
【００３３】
図２に示されているように、ユーザ端末装置１００は、制御部１０１と、送受信部１０２と、情報格納部１０３と、操作部１０４と、表示部１０５とを有する。
【００３４】
制御部１０１は、送受信部１０２、情報格納部１０３、操作部１０４、および表示部１０５と接続されており、上記の接続されている部位を含むユーザ端末装置１００が有する各部位の制御を行う。
制御部１０１は、例えば、ＣＰＵ（Ｃｅｎｔｒａｌ  Ｐｒｏｃｅｓｓｉｎｇ  Ｕｎｉｔ）と、そのＣＰＵに処理を実行させるプログラムを格納する格納領域とを有するとしてもよい。
【００３５】
送受信部１０２は、ネットワーク４００との無線通信の接続を行うとともに、サーバ装置２００との間において情報の送受信を行う部位である。
【００３６】
情報格納部１０３は、操作部１０４により入力された情報および送受信部１０２により受信された情報などを格納する。
情報格納部１０３は、例えば、ＲＡＭ（Ｒａｎｄｏｍ  Ａｃｃｅｓｓ  Ｍｅｍｏｒｙ）であってもよい。
【００３７】
操作部１０４は、情報を入力してユーザ端末装置１００を操作する部位である。
操作部１０４は、例えば、一般的に携帯電話機などに設けられているテンキーおよび方向指示キーであってもよいし、キーボード、タッチパネルなどの他の情報入力装置であってもよい。
【００３８】
表示部１０５は、情報を表示する部位であって、例えば、ＬＣＤ（Ｌｉｑｕｉｄ  Ｃｒｙｓｔａｌ  Ｄｉｓｐｌａｙ）、または有機ＥＬ（Ｅｌｅｃｔｒｏｌｕｍｉｎｅｓｃｅｎｃｅ）ディスプレイであるとしてもよい。
【００３９】
サーバ装置２００は、地図情報（道案内画面情報）をユーザに提供するサービス事業者により管理される情報処理装置であって、Ｗｅｂサーバとして機能するとしてもよい。また、サーバ装置２００は、例えばワークステーションなどのハイエンドＰＣであるとしてもよい。
【００４０】
図２に示されるように、サーバ装置２００は、制御部２０１と、送受信部２０２と、地図データ格納部２０３と、広告情報格納部２０４と、提供情報格納部２０５とを有する。
【００４１】
制御部２０１は、送受信部２０２、地図データ格納部２０３、広告情報格納部２０４、および提供情報格納部２０５と接続されており、上記の接続されている部位を含むサーバ装置２００が有する各部位の制御を行う。
制御部２０１は、例えば、ＣＰＵと、そのＣＰＵに処理を実行させるプログラムを格納する格納領域とを有するとしてもよい。
【００４２】
送受信部２０２は、ネットワーク４００と接続されており、ユーザ端末装置１００との間において、無線通信による情報の送受信を行う部位である。
【００４３】
地図データ格納部２０３は、ユーザ端末装置に提供する道案内画面情報の基となる地図データを格納する部位である。この地図データは、道路を示す情報を含んでおり、各道路の位置を緯度および経度などにより示すものである。また、この地図情報には、海および川といった地形を示す情報が含まれているとしてもよいし、駅、線路、病院、学校、および官公庁などの公共施設の位置を示す情報が含まれているとしてもよい。
【００４４】
広告情報格納部２０４は、広告主端末装置３００から送信された広告情報を格納する。なお、広告情報については、後ほど詳述する。
【００４５】
提供情報格納部２０５は、広告情報を募集するためのＷｅｂページを格納する。また、提供情報格納部２０５は、制御部２０１により作成された地図情報および道案内画面情報を一時保存する。
【００４６】
広告主端末装置３００は、広告主により管理される情報処理装置であって、例えば、ＰＣであるとしてもよい。
【００４７】
図２に示されているように、広告主端末装置３００は、制御部３０１と、送受信部３０２と、情報格納部３０３と、情報入力部３０４と、表示部３０５とを有する。
【００４８】
制御部３０１は、送受信部３０２、情報格納部３０３、情報入力部３０４、および表示部３０５と接続されており、上記の接続されている部位を含む広告主端末装置３００が有する各部位の制御を行う。
制御部３０１は、例えば、ＣＰＵと、そのＣＰＵに処理を実行させるプログラムを格納する格納領域とを有するとしてもよい。
【００４９】
送受信部３０２は、ネットワーク４００と接続されており、サーバ装置２００との間において情報の送受信を行う部位である。
【００５０】
情報格納部３０３は、情報入力部３０４により入力された広告情報などを格納する。
【００５１】
情報入力部３０４は、情報を入力して広告主端末装置３００を操作する部位である。
情報入力部３０４は、例えば、キーボード、マウス、タッチパネルなどの情報入力装置であるとしてもよい。この場合、広告主は、情報入力部３０４を用いて、広告情報を入力するとしてよい。
また、情報入力部３０４には、所定のインタフェースが設けられているとしてもよい。この場合、情報入力部３０４は、所定のネットワークを介して接続されている機器から受信した広告情報を入力するとしてもよい。
また、情報入力部３０４には、情報読取装置が設けられているとしてもよい。この場合、情報入力部３０４は、広告情報が記録されている記録媒体（例えば、フレキシブルディスクまたはＣＤ−Ｒなど）から広告情報を読み取って入力するとしてもよい。
【００５２】
表示部３０５は、情報を表示する部位であって、例えば、ＬＣＤ、または有機ＥＬディスプレイであるとしてもよい。
【００５３】
ネットワーク４００は、インターネットであるとしてもよい。また、ネットワーク４００には、ユーザ端末装置１００、１１０、１２０と、サーバ装置２００との間で無線通信を行うための基地局装置、交換局装置、ゲートウェイ装置、および網制御装置などが設置されているとしてもよい。
【００５４】
（広告情報の登録処理）
図３は、本発明の第１の実施形態における広告情報の登録処理の流れを示すシーケンスである。以下、図３に沿って、本実施形態におけるサーバ装置２００と広告主端末装置３００とによる広告情報の登録処理について説明する。
【００５５】
まず、サーバ装置２００は、提供情報格納部２０５により格納されている広告情報を募集する旨の情報（広告募集案内）をネットワーク４００上に公開する。この広告募集案内は、Ｗｅｂページであるとしてもよい。
【００５６】
サーバ装置２００が広告主端末装置３００からアクセスを受けると、送受信部２０２は、上記の広告募集案内を広告主端末装置３００に送信する。広告主端末装置３００の送受信部３０２がその広告募集案内を受信すると、表示部３０５は、その受信された広告募集案内を表示する。
【００５７】
広告主は、表示された広告募集案内を閲覧し、広告情報の登録を希望する場合には、広告主端末装置３００を操作して、情報入力部３０４により入力された広告情報をサーバ装置２００に送信する。
上記の広告情報には、店舗情報と広告内容情報とが含まれる。店舗情報とは、広告主の事業に関連する店舗などに係る情報を示す。
【００５８】
例えば店舗情報には、「店舗または広告主の名称」、「店舗の位置」、「マーク（記号）」、および「ジャンル」といった各項目の情報が含まれる。
【００５９】
「店舗の位置」は、広告主が経営する店舗の位置を示す情報であって、緯度および経度により表されるとしてもよいし、「○○市△△１丁目」といったように住所により表されるとしてもよい。サーバ装置２００は広告情報を受信すると、上記のような住所情報を緯度・経度に変換するとしてもよい。
【００６０】
「マーク」は、ユーザ端末装置で表示される道案内画面上で広告主の店舗を示す記号（ロゴ）として用いられる画像情報である。
【００６１】
「ジャンル」は、広告主の店舗が属するジャンルを示し、予め、サービス事業者側で数種類決められている。例えば、「ジャンル」として、「飲食」、「ショッピング」、および「映画館」などがあるとしてもよい。ここで、例えば、広告主の店舗がラーメン屋であるとすると、「ジャンル」は「飲食」であるといったように設定される。
なお、広告主は、広告主端末装置３００を用いて、広告募集案内に示されている数種類のジャンルから該当するものを「ジャンル」として指定するとしてもよいし、サービス事業者側が、受け取った広告情報の内容から判断して決定するようにしてもよい。
【００６２】
広告内容情報は、広告主に関連する広告内容を示す情報である。なお、広告内容情報は店舗情報ごとに対応付けられているとしてもよい。ユーザ端末装置がサーバ装置２００から受信した地図情報を表示する際、地図上に位置する広告主の店舗に関連する広告内容情報が表示される。
【００６３】
図４は、本発明の第１の実施形態における広告情報格納部２０４に格納されている広告情報を示す図である。
図４に示されているように、店舗情報と広告内容情報とが、広告情報ＩＤ（Ｎｏ．）で互いに対応付けられて広告情報格納部２０４により格納されている。
例えば、広告情報ＩＤが「Ｎｏ．１」の広告は、広告主名（店舗名）が●●ラーメン、店舗位置が「北緯３５°３９’  ２９．２”  、東経１３９°４４’  ４０．５”  」、マークが「ラーメンの絵柄」、ジャンルが「飲食」、広告内容情報が「只今ランチタイムにつきライス無料サービス中、詳細はこちらｈｔｔｐ：／／ｗｗｗ．・・・・・・・／」といったように格納されている。
【００６４】
また、広告主端末装置３００の送受信部３０２は、新たに広告情報をサーバ装置２００に送信すると、サーバ装置２００内の広告情報格納部２０４に格納されている広告情報が更新される。このことにより、道案内画面上に地図とともに表示される広告内容を随時変更することが可能となる。例えば、広告主が映画館を経営している場合、「２時からの映画は、あと６席で満席です」といった広告内容を空席状況の変化とともに変更することができる。
なお、サーバ装置２００は、広告情報登録時にパスワードなどを作成して広告主端末装置３００に送信するとしてもよい。この場合、広告主端末装置３００は、広告情報更新時に、広告情報とともにそのパスワードを入力して送信することにより、サーバ装置２００に広告情報更新を許可されるとしてもよい。
【００６５】
（道案内画面情報の提供処理）
図５は、本発明の第１の実施形態における道案内画面情報の提供処理の流れを示すシーケンスである。図６は、本発明の第１の実施形態におけるユーザ端末装置１００の動作の流れを示すフローチャートである。また、図７は、本発明の第１の実施形態におけるサーバ装置２００の動作の流れを示すフローチャートである。
以下、図５乃至図７に沿って、本実施形態におけるユーザ端末装置１００とサーバ装置２００とによる道案内画面情報の提供処理について説明する。
【００６６】
まず、ユーザは、操作部１０４を操作して、取得を希望する経路情報の探索条件を入力する。送受信部１０２は、その入力された経路探索条件をサーバ装置２００に送信する（ステップＳ１０１）。
上記の経路探索条件には、その検索を希望する経路の「出発地」および「目的地」と、「選択ジャンル」とが含まれる。「選択ジャンル」とは、ユーザがその経路上に位置することを希望する店舗が属するジャンルを示す。
【００６７】
図８は、本発明の第１の実施形態におけるジャンル選択画面を示す図である。ユーザ端末装置１００の表示部１０５上には、「飲食」、「ショッピング」、「スポーツ」、「宿泊」といった各ジャンルが示されるジャンル選択画面が表示される。
ユーザは、操作部１０４を用いて、希望する１以上のジャンルまたは「全部」を選択する。「全部」とは全ジャンルを示し、特に地図上に表示される店舗のジャンルを指定しない場合に選択される。ジャンル選択後、ジャンル選択画面上の決定キーが選択されると、送受信部１０２は「選択ジャンル」をサーバ装置２００に送信する。
【００６８】
サーバ装置２００の送受信部２０２がユーザ端末装置１００から経路探索条件を受信すると（ステップＳ２０１）、制御部２０１は、その受信された経路探索条件に基づいて、経路の探索処理を行う。
【００６９】
ここで、ユーザ端末装置１００により「選択ジャンル」として「全部」が選択された場合（ジャンル指定無しの場合）における制御部２０１による経路探索処理について説明する。
【００７０】
まず、制御部２０１は、地図データ格納部２０３に格納されている地図データと、受信された「出発地」および「目的地」とに基づいて、その「出発地」および「目的地」を含む領域の地図データを抽出する。
次に、制御部２０１は、広告情報格納部２０４に格納されている「店舗の位置」に基づいて、抽出した地図データ上に広告主の店舗を配置する。
次に、制御部２０１は、出発地および目的地を結ぶ経路であって、かつその経路から所定距離内に少なくとも１つの店舗が位置する経路を探索し、１以上の推奨ルート（経路）を決定し、その１以上の推奨ルートをそれぞれ含む１以上の地図情報を作成する。この作成された地図情報は、提供情報格納部２０５により一時格納される。
【００７１】
図９は、本発明の第１の実施形態において、「選択ジャンル」として「全部」が選択された場合（ジャンル指定無しの場合）におけるサーバ装置２００の制御部２０１により決定された経路を示す図である。
図９に示される地図は、ユーザ端末装置１００により指定された「出発地」および「目的地」を含む領域一帯の地図である。図９の地図上には、指定された「出発地」および「目的地」を結ぶ経路Ｒｔ１、Ｒｔ２が示されている。
また、図９の地図上には、道案内の際に目印となる広告主の店舗Ｍｋ１〜Ｍｋ８が示されている。制御部２０１は、その店舗Ｍｋ１〜Ｍｋ８から所定距離内に位置するように、経路Ｒｔ１、Ｒｔ２を決定している。
【００７２】
次に、制御部２０１は、探索した１以上の推奨ルートを示す案内経路選択画面を示す情報（例えばＷｅｂページ）を作成し、ユーザ端末装置１００に送信する（ステップＳ２０２）。送受信部１０２がサーバ装置２００から案内経路選択画面を示す情報を受信すると、表示部１０５は、その案内経路選択画面を表示する（ステップＳ１０２）。
【００７３】
図１０は、本発明の第１の実施形態において、「選択ジャンル」として「全部」が選択された場合（ジャンル選択無しの場合）における案内経路選択画面を示す図である。
図１０には、現在表示されている経路（推奨ルート）が何番目の推奨ルートかが示されている。
また、図１０には、ユーザが指定した出発地近傍の１番目の目印となる店舗（ドラッグストア■■）→２番目の目印となる店舗（●●ラーメン）→３番目の目印となる店舗（ブティック○○）→・・・→ユーザが指定した目的地近傍の最後の目印となる店舗（□□□シネマ）といった経路（推奨ルート）が示されている。
【００７４】
また、表示部１０５は、操作部１０４により案内経路選択画面上の前画面選択キーが選択されると既に表示済みの推奨ルートの表示に戻り、次画面表示キーが選択されると次の推奨ルートを表示する。操作部１０４により案内経路決定キーが選択されると、送受信部１０２は、現在表示中の推奨ルートの道案内画面情報の取得要求（選択経路番号）をサーバ装置２００に送信する（ステップＳ１０３）。
【００７５】
以上で、「選択ジャンル」として「全部」を選択した場合（指定ジャンル無しの場合）における推奨ルートの探索処理の説明を終了する。
【００７６】
ここで、ユーザ端末装置１００により「選択ジャンル」として「全部」以外の所定のジャンルが選択された場合における制御部２０１による経路探索処理について説明する。
【００７７】
まず、制御部２０１は、地図データ格納部２０３に格納されている地図データと、受信された「出発地」および「目的地」とに基づいて、その「出発地」および「目的地」を含む領域の地図データを抽出する。
次に、制御部２０１は、広告情報格納部２０４に格納されている「店舗の位置」に基づいて、抽出した地図データ上に広告主の店舗を配置する。
次に、制御部２０１は、出発地および目的地を結ぶ経路であって、かつその経路から所定距離内に選択されたジャンルの店舗が位置する経路を探索し、１以上の推奨ルート（経路）を決定し、その１以上の推奨ルートをそれぞれ含む１以上の地図情報を作成する。この作成された地図情報は、提供情報格納部２０５により一時格納される。
【００７８】
図１１は、本発明の第１の実施形態において、「選択ジャンル」として所定のジャンルが選択された場合におけるサーバ装置２００の制御部２０１により決定された経路を示す図である。
図１１に示される地図は、ユーザ端末装置１００により指定された「出発地」および「目的地」を含む領域一帯の地図である。図１１の地図上には、指定された「出発地」および「目的地」を結ぶ経路Ｒｔ１１、Ｒｔ１２が示されている。また、図１１の地図上には、道案内の際に目印となる広告主の店舗Ｍｋ１１〜Ｍｋ１８が示されている。ここでは一例として、店舗Ｍｋ１１〜Ｍｋ１４は、ジャンルが「飲食」の店舗であり、店舗Ｍｋ１５〜Ｍｋ１８は、ジャンルが「ショッピング」の店舗であるとする。
例えば、サーバ装置２００がユーザ端末装置１００から受信した経路探索条件において、「ジャンル：飲食」が指定されていた場合、制御部２０１は、所定距離内にジャンルが「飲食」である店舗Ｍｋ１１〜Ｍｋ１４が位置するような推奨ルートＲｔ１１を決定する。
また、経路探索条件において、「ジャンル：ショッピング」が指定されていた場合、制御部２０１は、所定距離内にジャンルが「ショッピング」である店舗Ｍｋ１５〜Ｍｋ１８が位置するような推奨ルートＲｔ１２を決定する。
なお、制御部２０１は、所定距離内に、指定ジャンルの店舗が予め設定されている数以上位置するように推奨ルートを決定するとしてもよいし、所定距離内に指定ジャンルの店舗数が多い順に優先して所定数の推奨ルートを決定するとしてもよい。また、制御部２０１が決定する推奨ルートから所定距離内に指定ジャンル以外の店舗が含まれていてもよい。
【００７９】
次に、制御部２０１は、探索した１以上の推奨ルートを示す案内経路選択画面を示す情報（例えばＷｅｂページ）を作成し、ユーザ端末装置１００に送信する（ステップＳ２０２）。送受信部１０２がサーバ装置２００から案内経路選択画面を示す情報を受信すると、表示部１０５は、その案内経路選択画面を表示する（ステップＳ１０２）。
【００８０】
図１２は、本発明の第１の実施形態において、「選択ジャンル」として所定のジャンルが選択された場合における案内経路選択画面を示す図である。
図１２には、現在表示されている経路（推奨ルート）が何番目の推奨ルートかが示されている。
また、図１２には、ユーザが指定した出発地近傍の１番目の目印となる店舗（○○寿司）→２番目の目印となる店舗（●●ラーメン）→３番目の目印となる店舗（□□□飯店）→・・・→ユーザが指定した目的地近傍の最後の目印となる店舗（焼肉■■）といった経路（推奨ルート）が示されている。
【００８１】
また、表示部１０５は、操作部１０４により案内経路選択画面上の前画面選択キーが選択されると既に表示済みの推奨ルートの表示に戻り、次画面表示キーが選択されると次の推奨ルートを表示する。操作部１０４により案内経路決定キーが選択されると、送受信部１０２は、現在表示中の推奨ルートを含む地図情報の取得要求（選択経路番号）をサーバ装置２００に送信する（ステップＳ１０３）。
【００８２】
以上で、「選択ジャンル」として所定のジャンルを選択した場合における推奨ルートの探索処理の説明を終了する。
【００８３】
サーバ装置２００の送受信部１０２は、ユーザ端末装置１００から地図情報の取得要求（選択経路番号）を受信すると（ステップＳ２０３）、制御部２０１は、選択された経路を含む地図情報を提供情報格納部２０５から抽出し、その地図の領域を分割して、分割地図情報を作成する。なお、制御部２０１は、送受信部２０２により選択経路番号が受信された際に、選択されなかった経路の地図情報を提供情報格納部２０５から消去するとしてもよい。
【００８４】
図１３は、本発明の第１の実施形態における地図情報を示す図である。以下、図１３を用いて、サーバ装置２００による道案内画面情報の作成処理および送信処理について説明する。
ここで、ユーザ端末装置１００は、図１３の矢印で示されるような、「出発地近傍の１番目の目印となる店舗Ｍｋ１→２番目の目印となる店舗Ｍｋ２→３番目の目印となる店舗Ｍｋ３→目的地近傍の４番目（最後）の目印となる店舗Ｍｋ４」といった推奨ルートを選択したものとする。
この場合、制御部２０１は、図１３の地図を分割して、分割地図ＭＡ１、ＭＡ２、ＭＡ３を作成する。分割地図ＭＡ１上には、店舗Ｍｋ１、Ｍｋ２の位置と、店舗Ｍｋ１（出発地）から店舗Ｍｋ２までの経路とが示される。また、分割地図ＭＡ２上には、店舗Ｍｋ２、Ｍｋ３の位置と、店舗Ｍｋ２から店舗Ｍｋ３までの経路とが示される。また、分割地図ＭＡ３上には、店舗Ｍｋ３、Ｍｋ４の位置と、店舗Ｍｋ３から店舗Ｍｋ４（目的地）までの経路とが示される。
このように、各分割地図情報の地図上には、出発地近傍の店舗またはユーザが到達した地点近傍の店舗と、経路上の中継地点における移動先の目印となる店舗または目的地近傍の店舗とが表示される。
【００８５】
次に、制御部２０１は、各分割地図情報における地図上に位置する店舗に関連する広告内容情報を広告情報格納部２０４から抽出し、各分割地図情報の地図上に該当する広告内容情報を合成して道案内画面情報を作成する。
【００８６】
制御部２０１により作成された道案内画面情報は、提供情報格納部２０５に格納される。道案内画面情報作成後、まず、送受信部２０１は、出発地近傍の最初の道案内画面情報（初期画面）をユーザ端末装置１００に送信する（ステップＳ２０４）。
【００８７】
送受信部１０２が最初の道案内画面情報を受信すると、表示部１０５は、その道案内画面を表示する（ステップＳ１０４）。
図１４は、本発明の第１の実施形態におけるユーザ端末装置１００の表示部１０５上に表示された道案内画面を示す図である。（ａ）は、出発地近傍の最初の道案内画面を示し、（ｂ）は、２画面目以降の道案内画面を示す。
図１４の（ａ）および（ｂ）に示されているように、道案内画面上には、道路および店舗からなる簡略化された地図、ならびに広告内容が表示される。また、上記の簡略化された地図上には、海および川といった地形が示されているとしてもよいし、駅、線路、病院、学校、および官公庁などの公共施設の位置が示されているとしてもよい。
【００８８】
図１４の（ａ）に示されているように、最初の道案内画面には、ユーザの出発地（星印★）と、出発地近傍の１番目の目印となる店舗位置（ドラッグストア■■）と、中継地点の２番目の目印となる店舗位置（●●ラーメン）と、各店舗に関連する広告内容情報が示されている。
【００８９】
なお、各店舗の広告内容情報には、ＵＲＬ（Ｕｎｉｆｏｒｍ  Ｒｅｓｏｕｒｃｅ  Ｌｏｃａｔｏｒｓ）が示されているとしてもよい。この場合、操作部１０４がそのＵＲＬを選択すると、ユーザ端末装置１００は、その店舗の広告がより詳細に示されているＷｅｂページにアクセスするとしてもよい。この広告がより詳細に示されているＷｅｂページは、サーバ装置２００に格納されているとしてもよいし、広告主端末装置３００に格納されているとしてもよい。このとき、Ｗｅｂページが格納されている装置（サーバ装置２００および広告主端末装置３００）は、Ｗｅｂサーバとして機能する。
【００９０】
また、図１４（ａ）に示されているように、最初の道案内画面上には、道案内画面表示を終了するための終了キーと、次の道案内画面の取得をサーバ装置２００に要求するための次画面キーとが設けられている。
【００９１】
制御部１０１が終了キー選択を認識すると（ステップＳ１０５／Ｙｅｓ）、表示部１０５は、案内図表示を終了する。終了キー選択が認識されない場合（ステップＳ１０５／Ｎｏ）、制御部１０１は、次画面キーが選択されたか否かを判断する（ステップＳ１０６）。
【００９２】
ユーザは、出発地から経路上を２番目の目印近傍まで移動し、２番目の目印を視認後、操作部１０４を操作して道案内画面上の次画面キーを選択すると（ステップＳ１０６／Ｙｅｓ）、送受信部１０２は、次の道案内画面の取得要求をサーバ装置２００に送信する（ステップＳ１０８）。
【００９３】
サーバ装置２００の送受信部２０２がその次の道案内画面の取得要求を受信すると（ステップＳ２０６／Ｙｅｓ）、２画面目の道案内画面を示す分割地図情報をユーザ端末装置１００に送信する（ステップＳ２０８）。
【００９４】
図１４の（ｂ）の２画面目の道案内画面には、ユーザが到達した２番目の目印（●●ラーメン）から次の３番目の目印（ブティック○○）までの経路が示されている。同様に、ユーザは、ユーザ端末装置１００を用いて、次の目印となる店舗まで移動した後に、次の道案内画面の取得を要求する。
なお、２画面目以降の道案内画面上には、前の道案内画面（ユーザ端末装置が１度受信した道案内画面）を取得するための前画面キーが設けられており、操作部１０４によりその前画面キーが選択されると（ステップＳ１０７／Ｙｅｓ）、送受信部１０２は、サーバ装置２００にその前の道案内画面の取得要求を送信する（ステップＳ１０９）。なお、最終の道案内画面（目的地近傍の店舗が示されている地図）上には、次画面キーは設けられていない。
【００９５】
サーバ装置２００の送受信部２０２は、ユーザ端末装置１００から前の道案内画面の取得要求を受信すると（ステップＳ２０７）、取得要求されている送信済みの分割地図情報を再度ユーザ端末装置１００へ送信する（ステップＳ２０９）。
【００９６】
その後、サーバ装置２００は、ユーザ端末装置１００へ最終の道案内画面情報を送信すると（ステップＳ２０５／Ｙｅｓ）、道案内画面情報の提供処理を終了する。このようにして、ユーザ端末装置１００が最終の道案内画面を表示するまで上記の処理が繰り返され、ユーザは、目的地まで道を間違えずに到達することが可能となる。
【００９７】
なお、本実施形態において、ユーザ端末装置の画面上に表示される各種キー（前画面キー、次画面キー、終了キー、および決定キーなど）は、ＧＵＩ（Ｇｒａｐｈｉｃａｌ  Ｕｓｅｒ  Ｉｎｔｅｒｆａｃｅ）により実現されるとしてよい。
【００９８】
以上説明したように、本実施形態によれば、サーバ装置２００は、ユーザ端末装置１００により指定された出発地から目的地までの経路を探索し、その経路が含まれる地図上に広告主の店舗を配置する。サーバ装置２００は、それぞれ少なくとも１以上の広告主の店舗が含まれるように、その地図を分割して道案内画面情報を作成して、ユーザ端末装置１００に送信する。広告主が経営する店舗がユーザの移動経路の出発、中継、および目的地点の目印となり、かつその店舗の広告がユーザ端末装置１００の画面上に表示される。ユーザは広告主の店舗前を通るようにして目的地へ移動する。
従って、広告主は、効果的な店舗の集客宣伝活動を行うことが可能となる。
また、ユーザは、自身が移動する目的地へ容易に到達することが可能となる。
【００９９】
また、本実施形態によれば、サーバ装置２００は、出発地から目的地までの経路周辺の地図を分割し、道案内画面情報としてユーザ端末装置１００に送信する。ユーザは、その道案内画面上の目印となる店舗に向かって移動し、その店舗周辺に到達して視認すると、ユーザ端末装置１００を用いて次の道案内画面情報をサーバ装置２００に要求する。ユーザは、道案内画面上の目印への移動および次の道案内画面情報の取得を繰り返して目的地に到達する。
従って、ユーザは、目的地へ到達するまでに何度も無駄に地図表示縮尺率および地図表示エリアの変更を画面上で行うといった操作の手間を省くとともに、通信時間および通信コストを削減することが可能となる。
【０１００】
また、本実施形態によれば、道案内画面上には、道路および店舗からなる簡略化された地図、ならびに広告内容だけが表示される。
従って、従来の多目的に使用される詳細な地図情報をサーバなどから取得する場合と比較して、通信の待ち時間および通信コストを削減することが可能となる。
【０１０１】
また、本実施形態によれば、広告主端末装置３００がサーバ装置２００に新たに広告情報を送信すると、サーバ装置２００内の広告情報が更新される。
従って、広告主は、自身に関連する広告の内容を随時更新することができ、常に的確な宣伝活動を行うことが可能となる。
【０１０２】
また、本実施形態によれば、ユーザ端末装置１００は、道案内画面情報の取得要求の際に、店舗のジャンルを示す情報をサーバ装置２００に送信する。サーバ装置２００は、その指定されたジャンルの店舗を出発、中継、目的地点とするような推奨ルート周辺の道案内画面情報をユーザ端末装置１００に提供する。
従って、ユーザは、自身が希望するジャンルの店舗に立ち寄って、目的地まで移動することが可能となる。
【０１０３】
＜第２の実施形態＞
以下、特記しない限り、本発明の第２の実施形態の構成および動作は、第１の実施形態と同様であるとして説明を進める。
【０１０４】
（第２の実施形態の構成）
図１５は、本発明の第２の実施形態における地図情報提供システムの構成を示す図である。以下、図１５を用いて、本実施形態における地図情報提供システムの構成について説明する。
【０１０５】
図１５に示されるように、地図情報提供システムは、ユーザ端末装置１００、１１０、１２０と、サーバ装置２００と、広告主端末装置３００と、ネットワーク４００とを有する。また、ユーザ端末装置１００、１１０、１２０、サーバ装置２００、および広告主端末装置３００は、ネットワーク４００を介して相互接続されている。なお、ネットワーク４００に接続されるユーザ端末装置および広告主端末装置の数は図により限定されず、１以上のいずれかの数であってよい。
【０１０６】
第１の実施形態と比べて、本実施形態では、ユーザ端末装置１００、１１０、１２０は、さらに位置情報取得部１０６を有する。位置情報取得部１０６は、制御部１０１と接続されており、制御部１０１により制御される。
位置情報取得部１０６は、ＧＰＳ（Ｇｌｏｂａｌ  Ｐｏｓｉｔｉｏｎｉｎｇ  Ｓｙｓｔｅｍ）衛星からの無線信号を受信し、その受信した無線信号を解析し、ＧＰＳ衛星の番号、ドプラー情報、方位、および高度などの各種情報を検出して、自装置（ユーザ端末装置）の現在位置を測定する。
【０１０７】
（第２の実施形態の動作）
本発明の第１の実施形態では、ユーザは、操作部１０４を用いて自身が探索を希望する経路の出発地を入力していた。
本実施形態では、ユーザは、操作部１０４を操作して目的地と店舗のジャンルとを指定して例えば図８の決定キーを選択すると、位置情報取得部１０６は、ユーザ端末装置１００（ユーザ）の現在位置を測定する。
送受信部１０２は、操作部１０４により入力された目的地およびジャンルの情報とともに、位置情報取得部１０６により測定された現在位置を出発地としてサーバ装置２００に送信し、経路探索を要求する。
このことにより、ユーザは、出発地を入力する作業を省くことができるとともに、現在位置がわからない場合であっても容易に経路探索を行うことが可能となる。
【０１０８】
また、本実施形態では、ユーザ端末装置１００は、次の案内画面情報をサーバ装置２００に要求する場合にも、その要求する旨の情報とともに、再度ユーザ端末装置１００の現在位置を示す情報をサーバ装置２００に送信する。
図１６は、本発明の第２の実施形態におけるユーザ端末装置１００の表示部１０５上に表示された道案内画面を示す図である。（ａ）は、出発地近傍の最初の道案内画面を示し、（ｂ）は、２画面目以降の道案内画面を示す。
例えば（ａ）の最初の道案内画面において次画面キーが操作部１０４により選択されると、位置情報取得部１０６は再度現在位置を測定する。
次に、送受信部１０２は、次の道案内画面要求とともに、上記の現在位置を示す情報をサーバ装置２００に送信する。
【０１０９】
サーバ装置２００は、作成した道案内画面情報に、受信したユーザの現在位置を挿入してユーザ端末装置１００に送信する。
ユーザ端末装置１００の送受信部１０２が道案内画面情報を受信すると、表示部１０５は、図１６の（ｂ）のような道案内画面を表示する。図１６の（ｂ）には、ユーザの現在位置が星印★で示されている。
【０１１０】
また、操作部１０４により道案内画面上の前画面キーが選択された場合も同様に、その前の道案内画面上にユーザの現在位置が示される。
【０１１１】
このように、第１の実施形態では、最初の道案内画面上にユーザの出発位置が示されていたが、本実施形態では、全ての道案内画面上に、ユーザの出発位置または現在位置が示される。従って、ユーザは現在自分がどの位置にいるのかが把握でき、より容易に目的地に到達することが可能となる。
【０１１２】
また、ユーザ端末装置１００、１１０、１２０は、情報を入力する処理と、情報を送受信する処理と、情報を表示する処理と、情報を格納する処理と、自装置の現在地を取得する処理とを行う。
サーバ装置２００は、情報を送受信する処理と、情報を格納する処理と、推奨ルートを探索する処理と、地図情報および道案内画面情報を作成する処理とを行う。
広告主端末装置３００は、情報を入力する処理と、情報を格納する処理と、情報を送受信する処理と、情報を表示する処理とを行う。
上記の処理は、ユーザ端末装置１００、１１０、１２０、サーバ装置２００、および広告主端末装置３００が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１１３】
なお、上記の実施形態は本発明の好適な実施の一例であり、本発明の実施形態は、これに限定されるものではなく、本発明の要旨を逸脱しない範囲において種々変形して実施することが可能となる。
【０１１４】
【発明の効果】
以上説明したように、本発明によれば、サーバ装置は、広告主の店舗が中継地点となるように、ユーザ端末装置により指定された出発地から目的地までの経路を探索し、その中継地点または目的地近傍の店舗が移動目標物となるようにその経路が含まれる地図を分割する。サーバ装置は、その分割された地図に、その地図上の店舗に関連した広告を挿入してユーザ端末装置に送信する。
従って、ユーザは、その地図上の広告主の店舗への移動を繰り返すことにより目的地へ容易に到達することが可能となる。また、ユーザは、広告が表示されている広告主の店舗前を通るようにして目的地へ移動するため、広告主は、効果的な店舗の集客宣伝活動を行うことが可能となる。
【図面の簡単な説明】
【図１】本発明の第１の実施形態における地図情報提供システムの構成を簡略化した図である。
【図２】本発明の第１の実施形態における地図情報提供システムの構成を示す図である。
【図３】本発明の第１の実施形態における広告情報の登録処理の流れを示すシーケンスである。
【図４】本発明の第１の実施形態における広告情報格納部に格納されている広告情報を示す図である。
【図５】本発明の第１の実施形態における道案内画面情報の提供処理の流れを示すシーケンスである。
【図６】本発明の第１の実施形態におけるユーザ端末装置の動作の流れを示すフローチャートである。
【図７】本発明の第１の実施形態におけるサーバ装置の動作の流れを示すフローチャートである。
【図８】本発明の第１の実施形態におけるジャンル選択画面を示す図である。
【図９】本発明の第１の実施形態において、選択ジャンルとして全部が選択された場合におけるサーバ装置により決定された経路を示す図である。
【図１０】本発明の第１の実施形態において、選択ジャンルとして全部が選択された場合における案内経路選択画面を示す図である。
【図１１】本発明の第１の実施形態において、選択ジャンルとして所定のジャンルが選択された場合におけるサーバ装置により決定された経路を示す図である。
【図１２】本発明の第１の実施形態において、選択ジャンルとして所定のジャンルが選択された場合における案内経路選択画面を示す図である。
【図１３】本発明の第１の実施形態における地図情報を示す図である。
【図１４】（ａ）は、本発明の第１の実施形態におけるユーザ端末装置の表示部上に表示された出発地近傍の最初の道案内画面を示す図であり、（ｂ）は、２画面目以降の道案内画面を示す図である。
【図１５】本発明の第２の実施形態における地図情報提供システムの構成を示す図である。
【図１６】（ａ）は、本発明の第２の実施形態におけるユーザ端末装置の表示部上に表示された出発地近傍の最初の道案内画面を示す図であり、（ｂ）は、２画面目以降の道案内画面を示す図である。
【符号の説明】
１００、１１０、１２０  ユーザ端末装置
１０１、２０１、３０１  制御部
１０２、２０２、３０２  送受信部
１０３、３０３  情報格納部
１０４  操作部
１０５、３０５  表示部
１０６  位置情報取得部
２００  サーバ装置
２０３  地図データ格納部
２０４  広告情報格納部
２０５  提供情報格納部
３００  広告主端末装置
３０４  情報入力部
４００  ネットワーク
Ｍｋ１〜Ｍｋ８、Ｍｋ１１〜Ｍｋ１８  店舗
Ｒｔ１、Ｒｔ２、Ｒｔ１１、Ｒｔ１２  経路
【図１】
2004325648.tif 000003
【図２】
2004325648.tif 000004
【図３】
2004325648.tif 000005
【図４】
2004325648.tif 000006
【図５】
2004325648.tif 000007
【図６】
2004325648.tif 000008
【図７】
2004325648.tif 000009
【図８】
2004325648.tif 000010
【図９】
2004325648.tif 000011
【図１０】
2004325648.tif 000012
【図１１】
2004325648.tif 000013
【図１２】
2004325648.tif 000014
【図１３】
2004325648.tif 000015
【図１４】
2004325648.tif 000016
【図１５】
2004325648.tif 000017
【図１６】
2004325648.tif 000018